(57)【特許請求の範囲】
【請求項１】
印刷要求データを出力するアプリケーション部と、
前記印刷要求データに基づいて、印刷データを生成するプリンタードライバー部と、を備える印刷制御装置の制御方法であって、
前記プリンタードライバー部が、出力された前記印刷要求データを受け取る前に、前記印刷要求データからテキストデータを取得する第１のステップと、
出力された前記印刷要求データに基づいて、生成された前記印刷データに、前記テキストデータを付加する第２のステップと、
付加した前記テキストデータを印刷処理しないように指示する所定のコマンドを、前記印刷データに合成する第３のステップと、
合成後の前記印刷データをプリンターへ送信する第４のステップと、を有する印刷制御装置の制御方法。
【請求項２】
請求項１において、
前記プリンタードライバー部が生成する前記印刷データは、前記印刷要求データに基づくラスターデータ、及び、前記ラスターデータを示すコマンドを含む印刷制御装置の制御方法。
【請求項３】
請求項１あるいは２において、
前記第２のステップは、前記テキストデータの印刷対象物が、前記印刷データを印刷した際の出現順になるように、前記テキストデータを並べ替えて、前記印刷データに付加する印刷制御装置の制御方法。
【請求項４】
請求項１乃至３のいずれか１項において、
合成後の前記印刷データは、前記プリンターのメモリに所定範囲の前記テキストデータを保持させるページモードの登録コマンドと、前記メモリから前記テキストデータの削除を指示するキャンセルコマンドと、の間に前記テキストデータを有する印刷制御装置の制御方法。
【請求項５】
請求項１乃至３のいずれか１項において、
所定の前記コマンドは、前記テキストデータの消去を指示するクリアコマンドである印刷制御装置の制御方法。
【請求項６】
印刷要求データを出力するアプリケーション部と、
前記印刷要求データに基づいて、印刷データを生成するプリンタードライバー部と、
前記プリンタードライバー部が、出力された前記印刷要求データを受け取る前に、前記印刷要求データからテキストデータを取得する取得部と、
出力された前記印刷要求データに基づいて、生成された前記印刷データに、前記テキストデータを付加する合成部と、を有し、
前記合成部は、付加した前記テキストデータを印刷処理しないように指示する所定のコマンドを、前記印刷データに合成し、
前記合成部は、合成後の前記印刷データをプリンターへ送信する印刷制御装置。
【請求項７】
プリンターとその印刷制御装置を有する印刷システムであって、
前記印刷制御装置は、
印刷要求データを出力するアプリケーション部と、
前記印刷要求データに基づいて、印刷データを生成するプリンタードライバー部と、
前記プリンタードライバー部が、出力された印刷要求データを受け取る前に、前記印刷要求データからテキストデータを取得する取得部と、
出力された前記印刷要求データに基づいて、生成された印刷データに、前記テキストデータを付加し、付加後の前記印刷データに、付加した前記テキストデータを印刷処理しないように指示する所定のコマンドを合成し、合成後の前記印刷データを前記プリンターへ送信する合成部と、を備え、
前記プリンターは、
送信された前記印刷データから付加された前記テキストデータを取得するテキストデータ処理部と、
前記印刷データに基づいて、印刷処理を実行する際、所定の前記コマンドに基づき、前記テキストデータに対しては印刷処理を実行しない印刷部と、を備える印刷システム。
【請求項８】
請求項７において、
前記テキストデータ処理部は、取得した前記テキストデータを所定のタイミングで他の装置へ送信する印刷システム。
【発明の詳細な説明】
【技術分野】
【０００１】
本発明は、印刷制御装置の制御方法等に関し、特に、既存のアプリケーション及びドラ
イバーと印刷出力の結果を変更せずに、印刷データからの情報取得を容易に行える様にす
ることのできる印刷制御装置の制御方法等に関する。
【背景技術】
【０００２】
スーパーマーケットなどの小売販売業においては販売管理システムであるＰＯＳシステ
ムが普及しており、当該システムでは、サーバーとネットワークで接続される複数の端末
装置（レジ）が当該装置に備えられるアプリケーションに従って動作し各種の処理を実行
する。また、通常、当該端末装置には、それぞれ、プリンターが設けられ、上記アプリケ
ーションの指示によりレシートやクーポンの出力を実行する。また、このような出力を伴
うＰＯＳシステムと類似した構成のシステムとしては、病院で用いられるシステム、運送
会社で用いられるシステムなどがある。
【０００３】
かかるシステムにおいて、導入後の技術向上や業務改善要望等に伴って、機能拡張の必
要が出てくる場合がある。特に、ＰＯＳシステムの場合、売上情報の分析、電子レシート
化などの機能追加が望まれる場合がある。
【０００４】
しかしながら、かかるシステムは一般に業務の中枢として常時利用されているものであ
り、また、他のシステムとも複雑に連携している場合も多いため、そのアプリケーション
を改変することは通常容易ではない。
【０００５】
かかる課題に対して、下記特許文献１では、ＰＯＳ端末が出力するデータを加工して外
部装置へ提供することが可能な技術について提案されている。
【０００６】
一方、ＰＯＳシステム等においてレシート等の印刷を命令する端末装置では、近年、多
くの場合、プリンター用のドライバーとしてＷｉｎｄｏｗｓ（登録商標）ドライバーを用
いており、この場合、印刷対象物はドライバーでラスターデータ化されてプリンターへ送
信される。
【先行技術文献】
【特許文献】
【０００７】
【特許文献１】特開２０１４−８５７４１号公報
【発明の概要】
【発明が解決しようとする課題】
【０００８】
上記特許文献１に示される方法の場合、ＰＯＳ端末装置でＷｉｎｄｏｗｓドライバーが
用いられていると、印刷データから情報を取得するデータ処理装置において、ラスターデ
ータ化された印刷対象物（文字など）の意味を取得するために、ＯＣＲ（Ｏｐｔｉｃａｌ
Ｃｈａｒａｃｔｅｒ  Ｒｅｃｏｇｎｉｔｉｏｎ）技術等を用いる必要があり、情報の正
確性、処理の負担などの点で課題がある。
【０００９】
また、ＰＯＳ端末装置からテキストデータをプリンターへ送信するモードに変更するこ
とで、上述の情報取得に係る課題はなくなるが、この場合には、印刷の際にプリンターが
内蔵するフォントを用いることになり、以前と出力の表現が変わってしまう虞がある。
【００１０】
また、このような機能追加のためにプリンタードライバーを新しくすると、既存のドラ
イバーが特殊な機能を用いていた場合などに、出力の表現が以前と変わってしまうことが
あり得る。
【００１１】
そこで、本発明の目的は、印刷制御装置の制御方法であって、既存のアプリケーション
及びドライバーと印刷出力の結果を変更せずに、印刷データからの情報取得を容易に行え
る様にすることのできる印刷制御装置の制御方法、等を提供することである。
【課題を解決するための手段】
【００１２】
上記の目的を達成するために、本発明の一つの側面は、印刷制御装置における制御方法
が、印刷要求データをプリンタードライバーが受け取る前に受信して当該印刷要求データ
から印刷対象のテキストデータを取得し、前記印刷要求データを前記プリンタードライバ
ーに送信する取得工程と、前記印刷要求データに基づいて前記プリンタードライバーが出
力する印刷データを受信し、前記取得工程で取得されたテキストデータを、前記印刷デー
タのコマンドを用いて前記印刷データに付加し、当該付加後の印刷データをプリンターへ
送信する合成工程と、を有する、ことである。
【００１３】
更に、上記発明において、その好ましい態様は、前記プリンタードライバーが出力する
印刷データでは、印刷内容がラスターデータで表現される、ことを特徴とする。
【００１４】
更に、上記発明において、その好ましい態様は、前記合成工程では、前記テキストデー
タを印刷物における出現順に並べ替えて前記印刷データに付加する、ことを特徴とする。
【００１５】
更に、上記発明において、その一つの態様は、前記合成工程における前記印刷データへ
の付加は、プリンターで所定印刷範囲の印刷データを蓄積した後に当該蓄積した印刷デー
タについて印刷処理を実行するページモードの登録コマンドと、当該ページモードによる
印刷のキャンセルコマンドの間に、前記取得されたテキストデータを入れて行う、ことを
特徴とする。
【００１６】
更に、上記発明において、その一つの態様は、前記合成工程における前記印刷データへ
の付加は、印刷データをテキストデータで前記プリンターへ送信するテキストモードの開
始コマンドと、所定文字数のテキストデータ及びそれに続くクリアコマンドを用いて行う
、ことを特徴とする。
【００１７】
上記の目的を達成するために、本発明の別の側面は、印刷制御装置が、印刷要求データ
をプリンタードライバーが受け取る前に受信して当該印刷要求データから印刷対象のテキ
ストデータを取得し、前記印刷要求データを前記プリンタードライバーに送信する取得部
と、前記印刷要求データに基づいて前記プリンタードライバーが出力する印刷データを受
信し、前記取得されたテキストデータを、前記印刷データのコマンドを用いて前記印刷デ
ータに付加し、当該付加後の印刷データをプリンターへ送信する合成部と、を有する、こ
とである。
【００１８】
上記の目的を達成するために、本発明の更に別の側面は、プリンターとその印刷制御装
置を有する印刷システムにおいて、前記印刷制御装置は、印刷要求データをプリンタード
ライバーが受け取る前に受信して当該印刷要求データから印刷対象のテキストデータを取
得し、前記印刷要求データを前記プリンタードライバーに送信する取得部と、前記印刷要
求データに基づいて前記プリンタードライバーが出力する印刷データを受信し、前記取得
されたテキストデータを、前記印刷データのコマンドを用いて前記印刷データに付加し、
当該付加後の印刷データを前記プリンターへ送信する合成部と、を備え、前記プリンター
は、前記送信された印刷データから前記付加されたテキストデータを取得するテキストデ
ータ処理部と、前記印刷データに基づいて印刷処理を実行する印刷部と、を備える、こと
である。
【００１９】
更に、上記発明において、その一つの態様は、前記テキストデータ処理部は、前記取得
したテキストデータを記憶し、当該テキストデータを所定のタイミングで他の装置へ送信
する、ことを特徴とする。
【００２０】
本発明の更なる目的及び、特徴は、以下に説明する発明の実施の形態から明らかになる
。
【図面の簡単な説明】
【００２１】
【図１】本発明を適用した印刷システムの実施の形態例に係る構成図である。
【図２】フィルタードライバー部１２とコマンド合成部１４における処理の手順を例示したフローチャートである。
【図３】印刷データの構造を概念的に例示した図である。
【図４】テキストデータ処理部２１における処理手順を例示したフローチャートである。
【図５】印刷制御部２２及び印刷機構部２３における処理手順を例示したフローチャートである。
【発明を実施するための形態】
【００２２】
以下、図面を参照して本発明の実施の形態例を説明する。しかしながら、かかる実施の
形態例が、本発明の技術的範囲を限定するものではない。なお、図において、同一又は類
似のものには同一の参照番号又は参照記号を付して説明する。
【００２３】
図１は、本発明を適用した印刷システムの実施の形態例に係る構成図である。図１に示
すＰＯＳ（Ｐｏｉｎｔ  Ｏｆ  Ｓａｌｅｓ）端末装置１では、ＰＯＳアプリケーション部
１１から印刷要求データが出力された際に、フィルタードライバー部１２が、その印刷要
求データをプリンタードライバー部１３が受け取る前に受信し、その印刷要求データから
印刷対象のテキストデータを取得する。その後、印刷要求データに基づいてプリンタード
ライバー部１３が生成したレシートプリンター２用の印刷データに、コマンド合成部１４
が、上記取得されたテキストデータを付加する処理を実行し、その後の印刷データをレシ
ートプリンター２に送信する。この処理により、印刷データを受信するレシートプリンタ
ー２では、上記付加されたテキストデータを取得することにより、容易にレシートの印刷
データから売上情報を取得することができる。従って、既存のＰＯＳシステムに売上情報
の分析機能等を追加しようとする場合に、既存のＰＯＳアプリケーションやプリンタード
ライバーを改変する必要がなく、容易であると共に印刷出力の結果を変えてしまうことも
ない。
【００２４】
図１に示すように、本実施の形態例に係る印刷システムは、ＰＯＳ端末装置１及びレシ
ートプリンター２を備え、レシートプリンター２は、インターネットなどのネットワーク
４を介して売上情報分析サーバー３と接続される。
【００２５】
ＰＯＳ端末装置１は、スーパーマーケットなどのレジに設けられるＰＯＳシステムの端
末装置であり、レシートプリンター２と通信可能に接続される。ＰＯＳ端末装置１は、レ
シートプリンター２のホスト装置（印刷制御装置）であり、商品販売の会計時（精算時）
などにレシートプリンター２に対してレシートやクーポンの印刷指示を行う。また、ＰＯ
Ｓ端末装置１は、コンピューターで構成され、図示していないが、ＣＰＵ、ＲＡＭ、ＲＯ
Ｍ、ＨＤＤなどを備える。また、周辺装置として、図示していないが、ディスプレイ、キ
ーボード、バーコードリーダー、及びカードリーダー等を備える。
【００２６】
図１に示すように、ＰＯＳ端末装置１は、機能構成として、ＰＯＳアプリケーション部
１１、フィルタードライバー部１２、プリンタードライバー部１３、及びコマンド合成部
１４を備える。
【００２７】
ＰＯＳアプリケーション部１１は、商品販売時の精算処理、レシート・クーポンの印刷
要求、図示していないＰＯＳサーバーへのデータ送信等を担う部分である。上記印刷要求
時には、印刷要求データをプリンタードライバー部１３に向けて出力する。印刷要求デー
タは、標準的なコマンドで表現され、ここでは、ＧＤＩ（Graphic Device Interface）仕
様で表現される。なお、ＰＯＳアプリケーション部１１は、ＰＯＳ端末装置１を構成する
コンピューターのアプリケーション層に位置し、上述した処理の手順を記述したアプリケ
ーションプログラム、当該プログラムに従って動作するＣＰＵ、ＲＡＭ等によって構成さ
れる。
【００２８】
フィルタードライバー部１２（取得部）は、ＰＯＳアプリケーション部１１からプリン
タードライバー部１３に向けて出力された印刷要求データを、プリンタードライバー部１
３が受け取る前に受信し、その印刷要求データから印刷対象のテキストデータを取得する
部分である。なお、フィルタードライバー部１２は、ＰＯＳ端末装置１を構成するコンピ
ューターのＯＳ（オペレーティングシステム）カーネル層に位置し、上述した処理の手順
を記述したプログラム、当該プログラムに従って動作するＣＰＵ、ＲＡＭ等によって構成
される。
【００２９】
プリンタードライバー部１３は、レシートプリンター２用のドライバー機能を担う部分
である。プリンタードライバー部１３は、ＰＯＳアプリケーション部１１から出力された
印刷要求データを受信し、その印刷要求データに従ってレシートプリンター２用のコマン
ドで表現された印刷データを生成し、その印刷データを、レシートプリンター２へ向けて
設定されたポート等に対して送信する。また、プリンタードライバー部１３は、印刷要求
データに含まれる印刷対象（印刷する内容）を画像化し、そのラスターデータを印刷デー
タに含める。なお、ラスターデータは、印刷対象を画素毎に各色の濃度階調値で表現した
データを意味する。なお、プリンタードライバー部１３は、ＰＯＳ端末装置１を構成する
コンピューターのアプリケーション層に位置し、ドライバープログラム、当該プログラム
に従って動作するＣＰＵ、ＲＡＭ等によって構成される。
【００３０】
コマンド合成部１４（合成部）は、フィルタードライバー部１２が取得したテキストデ
ータを、プリンタードライバー部１３が生成した印刷データに付加する処理を行う部分で
ある。具体的な処理内容については後述する。なお、コマンド合成部１４は、ＰＯＳ端末
装置１を構成するコンピューターのアプリケーション層に位置し、上記処理を指示するプ
ログラム、当該プログラムに従って動作するＣＰＵ、ＲＡＭ等によって構成される。
【００３１】
次に、レシートプリンター２は、ＰＯＳ端末装置１の指示に従ってレシート・クーポン
等を印刷するプリンターである。印刷方式としては、例えば、インクジェット方式、サー
マル方式などを用いることができる。レシートプリンター２は、ロール状の用紙に印刷対
象を印刷し、印刷が完了するとカッターにより用紙を切断する。
【００３２】
また、レシートプリンター２は、いわゆるインテリジェントプリンターと呼ばれるもの
であり、一般的なプリンターにおける印刷制御部のほかに、パーソナルコンピューターと
同様のデータ処理装置（演算装置）を備える。
【００３３】
機能構成としては、図１に示すように、レシートプリンター２は、テキストデータ処理
部２１、印刷制御部２２、及び、印刷機構部２３（印刷制御部２２と印刷機構部２３で印
刷部）を備える。
【００３４】
テキストデータ処理部２１は、上述したデータ処理装置、すなわち、ＣＰＵ、ＲＯＭ、
ＲＡＭ、ＨＤＤ等と、処理内容を記述したプログラム等で構成することができる。当該テ
キストデータ処理部２１は、ＰＯＳ端末装置１から送信される上述した印刷データを受信
し、その印刷データに付加されたテキストデータを取得する処理、取得したテキストデー
タを売上情報分析サーバー３に送信する処理等を実行する。
【００３５】
次に、印刷制御部２２は、いわゆるプリンターの制御部であり、上記受信された印刷デ
ータに従って印刷処理を制御する部分である。印刷制御部２２は、プログラム、ＣＰＵ、
ＲＯＭ、ＲＡＭ、ＡＳＩＣ、ＮＶＲＡＭ等で構成することができる。
【００３６】
印刷機構部２３は、印刷制御部２２の制御で動作し、用紙に印刷処理を施す部分である
。印刷機構部２３は、印刷ヘッド、用紙の搬送装置、カッター等を備える。
【００３７】
次に、売上情報分析サーバー３は、レシートプリンター２から送信される上述したテキ
ストデータを受信し、受信したテキストデータを用いて、売上分析処理、電子レシート提
供処理等を実行するサーバーコンピューターである。
【００３８】
売上分析処理では、レシートに印刷される、販売した商品の名称、個数、及び単価、販
売店、販売日、合計金額（販売総額）等の情報が上述したテキストデータとして得られる
ので、例えば、売上の時間変動、季節変動、及び地域変動等の分析を行うことができる。
また、電子レシート提供処理では、レシートに印刷される主要な情報がテキストデータと
して取得されるので、ユーザーの端末装置からのアクセスに応答して、要求されたレシー
トの内容を示す画面を、その端末装置に提供することができる。
【００３９】
以上説明したような構成を備える本実施の形態例に係る印刷システムでは、レシートの
印刷要求がなされた際に、以下のような手順で処理が実行される。図２は、フィルタード
ライバー部１２とコマンド合成部１４における処理の手順を例示したフローチャートであ
る。レシートの印刷要求時には、上述の通り、ＰＯＳアプリケーション部１１から印刷要
求データが出力される。フィルタードライバー部１２は、当該印刷要求データをプリンタ
ードライバー部１３が受信する前に、受信する（図２のステップＳ１）。
【００４０】
具体的には、印刷要求データは、前述のとおり、ＧＤＩ仕様で記述されており、プリン
タードライバー部１３に渡される際にＯＳカーネル層に備えられるＧＤＩ関数を呼びに行
くので、フィルタードライバー部１２は、その際にＧＤＩ関数の呼び口で印刷要求データ
を捉える。
【００４１】
その後、フィルタードライバー部１２は、受信した印刷要求データのコマンドを逐次解
釈する（図２のステップＳ２）。印刷要求がなされたレシートに含まれる印刷対象物には
、店舗名、商品名等を表す文字、価格等を表す数字、ロゴ等を表すイメージなどが含まれ
、上記解釈の結果、印刷対象物が文字や数字のテキストである場合には、フィルタードラ
イバー部１２は、そのテキストデータを取得（抽出）し、その印刷位置情報と共にメモリ
に記憶する（図２のステップＳ３）。
【００４２】
フィルタードライバー部１２は、その後、受信した印刷要求データをプリンタードライ
バー部１３に送信する（図２のステップＳ４）。
【００４３】
プリンタードライバー部１３は、送信された印刷要求データを解釈して、レシートに印
刷される印刷対象を画像化し、印刷すべき印刷内容をラスターデータとしてレシートプリ
ンター２用のコマンドを用いて印刷データを生成する。そして、生成した印刷データをプ
リンタードライバー部１３に設定されている出力先に送信する。なお、予め当該出力先と
してコマンド合成部１４が設定されている。
【００４４】
図２に戻って、次に、コマンド合成部１４は、フィルタードライバー部１２によって取
得され記憶されているテキストデータを読み出して、そのテキストデータの並べ替え処理
を実行する（図２のステップＳ５）。印刷要求データに含まれるテキストデータの印刷対
象物は、必ずしも印刷した際の順番になっていないので、すなわち、レシートにおける上
からの順番になっていないので、当該並べ替えの処理では、コマンド合成部１４は、取得
したテキストデータをレシートにおける出現順に並べ替える。
【００４５】
具体的には、上記印刷位置情報に基づいて、各印刷対象物を表すテキストデータをレシ
ートにおける出現順にソートする。より具体的には、まず、レシートの上下方向で上側を
先にしたソートを行い、その後、上下方向が同じ印刷対象物について、レシートの左右方
向で左を先とするソートを行う。
【００４６】
次に、コマンド合成部１４は、並べ替え処理を終了したテキストデータを上記生成され
た印刷データに付加するための付加コマンドの生成を行う（図２のステップＳ６）。当該
処理では、コマンド合成部１４は、レシートプリンター２用のコマンドを用いてレシート
プリンター２の印刷制御部２２が理解（解釈）可能な表現で、かつ、レシートプリンター
２で当該テキストデータが印刷されないように、テキストデータを付加する付加コマンド
を生成する。
【００４７】
具体的には、一つの例として、ページモード用のコマンドを用いて当該付加コマンドを
生成することができる。レシートプリンター２では、通常、上述の通り、印刷データに含
まれる印刷対象物はラスターデータで表現されているので、受信したラスターデータを、
順次、印刷処理し、データを蓄積しておくことはしないが、このページモードでは、所定
範囲分（１ページ分、１レシート分）の印刷対象物のデータを、レシートプリンター２の
メモリに蓄積（保持）した後に、その範囲についての印刷処理を実行する。また、このペ
ージモードでは、印刷対象物はラスターデータで表現されている必要はなく、テキストデ
ータで表現されていてよい。また、このページモードでは、ページモードを登録するコマ
ンド（ページモード開始コマンド）、印刷対象物のデータ、印刷処理の実行に係るコマン
ドの順で印刷データ内のコマンドが構成される。
【００４８】
この例では、このページモードのコマンドを利用し、ページモード登録コマンド、上記
取得し並べ替えたテキストデータ、及び、キャンセルコマンドを、この順番で並べて付加
コマンドとする。
【００４９】
図３は、印刷データの構造を概念的に例示した図である。図３に示す例は、コマンド
合成部１４で生成されレシートプリンター２に送信される印刷データの一例を示しており
、１レシート分のデータを表している。図３において、Ｃ２は、上述した画像化された印
刷内容のラスターデータであり、Ｃ１で示される印刷開始コマンドは、このラスターデー
タのヘッダーとしてラスターデータの量（バイト数）等を示すものである。また、Ｃ６に
示す印刷終了コマンドは、印刷データの終了を示すコマンドであり、ここではカットコマ
ンドである。これらＣ１、Ｃ２、及びＣ６が上述したプリンタードライバー部１３で生成
される印刷データである。
【００５０】
図３のＡ１で示す部分がコマンド合成部１４で生成される付加コマンドの部分であり、
上述にとおり、ページモード登録コマンド（Ｃ３）、上記並べ替えたテキストデータ（Ｃ
４）、及び、キャンセルコマンド（Ｃ５）が当該部分に含まれる。
【００５１】
なお、他のコマンドを利用して付加コマンドを生成することもできる。二つ目の例とし
て、テキストモード（印刷データをテキストデータでプリンターへ送信するモード）にお
いて、用紙幅を超えない文字数のテキストデータとクリアコマンドを用いて上記付加コマ
ンドを生成することもできる。具体的には、コマンド合成部１４は、まず、テキストモー
ドの開始コマンドを用意する。その後、用紙幅内に１行で入る文字数を求め、上記並べ替
えたテキストデータから、順次、当該文字数のテキストデータを取り出してテキストモー
ドの開始コマンドに付加し、その後に、クリアコマンドを付加する。そして、上記テキス
トデータがなくなるまで、上記文字数のテキストデータとクリアコマンドの付加を繰り返
し行う。その結果生成されるテキストモードの開始コマンドから最後のクリアコマンドま
でが付加コマンドとなる。
【００５２】
このようにして付加コマンドが生成されると、コマンド合成部１４は、プリンタードラ
イバー部１３が生成した印刷データに付加コマンドを付加する処理を行う（図２のステッ
プＳ７）。具体的には、上述の通り、プリンタードライバー部１３からの印刷データの送
信先がコマンド合成部１４に設定されているので、プリンタードライバー部１３から送信
された印刷データを受信し、上記生成した付加コマンドを受信した印刷データの所定箇所
に組み込む（合成する）。
【００５３】
ページモードのコマンドを利用して付加コマンドを生成した場合には図３に例示した箇
所に組み込み、テキストモードのコマンドを利用して付加コマンドを生成した場合には、
同様に、図３のＡ１で示す箇所に付加コマンドを組み込む。
【００５４】
このようにして付加処理が終了すると、コマンド合成部１４は、付加処理後の印刷デー
タをレシートプリンター２に送信する（図２のステップＳ８）。
【００５５】
以上のようにしてＰＯＳ端末装置１における処理が終了する。
【００５６】
次に、レシートプリンター２のテキストデータ処理部２１の処理について説明する。図
４は、テキストデータ処理部２１における処理手順を例示したフローチャートである。テ
キストデータ処理部２１は、コマンド合成部１４から送信された上記印刷データを受信し
（図４のステップＳ１１）、その印刷データに含まれるコマンドを順次解釈する（図４の
ステップＳ１２）。
【００５７】
テキストデータ処理部２１は、当該解釈処理において、テキストデータを含まないと判
断した部分については、そのまま印刷データを印刷制御部２２に送信し（図４のステップ
Ｓ１４）、一方、テキストデータであると判断した部分については、そのテキストデータ
を取得してメモリに記憶し（図４のステップＳ１３）、その後、当該部分の印刷データを
印刷制御部２２に送信する（図４のステップＳ１４）。
【００５８】
図３に例示した印刷データの場合には、Ｃ４のテキストデータが取得されて記憶され、
印刷データ全体（Ｃ１−Ｃ６）は、印刷制御部２２に送信される。
【００５９】
また、テキストモードを利用して所定数のテキストデータとクリアコマンドを付加した
上述の例では、テキストデータの部分は取得されて記憶され、印刷データ全体は、印刷制
御部２２に送信される。
【００６０】
なお、代替案として、テキストデータの取得・記憶後、テキストデータ処理部２１が、
テキストデータ部分を印刷データから削除し、その後の印刷データを印刷制御部２２に送
信するようにしてもよい。なお、この場合、上記付加処理で加えられた部分が削除される
。
【００６１】
このようにして、受信した印刷データについてテキストデータの取得・記憶処理（Ｓ１
３）と送信処理（Ｓ１４）が終了すると、テキストデータ処理部２１は、次に、上記記憶
したテキストデータを売上情報分析サーバー３に送信する処理を行う（図４のステップＳ
１５）。当該送信処理では、テキストデータ処理部２１は、上記記憶したテキストデータ
をマークアップ言語（例えば、ＸＭＬ（Ｅｘｔｅｎｓｉｂｌｅ  Ｍａｒｋｕｐ  Ｌａｎｇ
ｕａｇｅ））に変換してから送信するようにしてもよい。また、売上情報分析サーバー３
への送信の頻度は、レシートが発行される度、日毎、週単位など必要に応じた頻度で行う
ことができる。
【００６２】
送信されたテキストデータには、レシートに印刷される売上情報が含まれるので、売上
情報分析サーバー３により、これらの情報に基づいた分析処理、電子レシート提供処理等
がなされる。
【００６３】
以上のようにして、テキストデータ処理部２１による処理が終了する。
【００６４】
次に、印刷制御部２２及び印刷機構部２３の処理について説明する。図５は、印刷制御
部２２及び印刷機構部２３における処理手順を例示したフローチャートである。テキスト
データ処理部２１から送信された上記印刷データは、印刷制御部２２によって受信され（
図５のステップＳ２１）、印刷制御部２２は、受信した印刷データに含まれるコマンドを
順次解釈する（図５のステップＳ２２）。
【００６５】
印刷制御部２２は、当該解釈の結果に応じて印刷機構部２３を制御し、印刷機構部２３
による用紙への印刷処理が実行される（図５のステップＳ２３）。上述の通り、ラスター
データ部分については、印刷制御部２２は、受信したラスターデータを、逐次、印刷機構
部２３へ渡して当該データに基づく印刷処理がなされていく。
【００６６】
一方、上記付加処理によって付加されたテキストデータの部分は、その後に加えられて
いるコマンドにより消去され、印刷機構部２３による印刷処理はなされない（図５のステ
ップＳ２４）。
【００６７】
図３に例示した印刷データでは、Ｃ２の部分（ラスターデータ）まで印刷処理がなされ
、Ｃ４の部分（テキストデータ）はＣ５のキャンセルコマンドでメモリから削除されて印
刷処理はなされない。
【００６８】
また、テキストモードを利用して所定数のテキストデータとクリアコマンドを付加した
上述の例では、各所定数のテキストデータはその直後のクリアコマンドで消去され、印刷
処理はなされない。
【００６９】
このように、本来レシートとして印刷されるべき部分のみが印刷処理され、売上情報取
得のために付加された部分については印刷処理がなされない。また、テキストデータ処理
部２１で、付加したテキストデータ部分を削除した場合にも、当然にして本来レシートと
して印刷されるべき部分のみが印刷処理される。
【００７０】
以上のようにして、印刷制御部２２及び印刷機構部２３の処理が終了する。
【００７１】
このように、上記付加処理で印刷データに付加されたテキスト部分は、レシートプリン
ター２が解釈可能なコマンドで表現され、上述のように、印刷処理に影響を与えることな
く処理されるので、レシートプリンター２がいわゆるインテリジェントプリンターでなく
テキストデータ処理部２１に相当する部分を備えていなくても、エラーを起こすことなく
レシートの印刷を行うことができる。
【００７２】
以上説明したように、本実施の形態例に係る印刷システムでは、ＰＯＳアプリケーショ
ン部１１とプリンタードライバー部１３が通常の印刷要求・印刷指示の処理を行っていて
も、フィルタードライバー部１２とコマンド合成部１４の機能により、印刷対象のテキス
ト部分のテキストデータが印刷データに付加される。従って、テキストデータ付加・当該
テキストデータによる分析等の機能を既存のシステムに追加する際に、既存のＰＯＳアプ
リケーション及びプリンタードライバーを改変する必要がなく、機能追加が容易であると
共に印刷結果が変わってしまう虞もない。
【００７３】
また、既存のシステムにおいて、プリンタードライバーが印刷内容をラスターデータと
してプリンターへ送信している場合にも、上記機能追加後もその処理を変える必要がない
ので、この点においても印刷結果が変わってしまう虞がない。
【００７４】
また、印刷データにテキストデータが付加されるので、プリンター側でレシートに印刷
される情報を容易に取り出すことができる。
【００７５】
また、フィルタードライバー部１２では、印刷データに付加する上記テキストデータを
、印刷対象をラスターデータ化する前に取得するので、処理が容易であり情報を正確に取
得することができる。
【００７６】
また、コマンド合成部１４で、テキストデータを、レシートに記載される順に並べ替え
てから付加するので、当該テキストデータが売上情報分析サーバー３等で利用される際に
便利である。
【００７７】
また、コマンド合成部１４でテキストデータを付加する際に、レシートプリンター２用
のコマンドを用いて印刷データに組み込むので、レシートプリンター２側で容易に解釈で
き、印刷制御部２２でエラーを起こすことはない。
【００７８】
なお、本実施の形態例ではＰＯＳシステムの例を示したが、本発明は、ＰＯＳシステム
に限らず、病院や運送会社で使用されるシステムなど、プリンターからの印刷物の出力を
含む所定のアプリケーションを備えたシステムに適用可能であり、特に、既存のアプリケ
ーションプログラムの改変が困難である場合に有効である。
【００７９】
本発明の保護範囲は、上記の実施の形態に限定されず、特許請求の範囲に記載された発
明とその均等物に及ぶものである。
【符号の説明】
【００８０】
１  ＰＯＳ端末装置、  ２  レシートプリンター、  ３  売上情報分析サーバー、  ４
ネットワーク、  １１  ＰＯＳアプリケーション部、  １２  フィルタードライバー部
、  １３  プリンタードライバー部、  １４  コマンド合成部、  ２１  テキストデータ
処理部、  ２２  印刷制御部、  ２３  印刷機構部
【図１】
0006394304.tif 000002
【図２】
0006394304.tif 000003
【図３】
0006394304.tif 000004
【図４】
0006394304.tif 000005
【図５】
0006394304.tif 000006